(57)【要約】【課題】移動局がセカンダリセルを非アクティブ状態に留める一方、基地局が当該セカンダリセルをアクティブ状態と認識する可能性がある場合においても、移動局及び基地局がセカンダリセルのＰＵＣＣＨを処理することができる手法を提供することを目的とする。【解決手段】キャリアアグリゲーションを利用して通信する移動局は、セカンダリセルの状態がアクティブ状態であるか非アクティブ状態であるかを管理するセカンダリセル状態管理部と、第１のセカンダリセルの物理上りリンク制御チャネルの送信タイミングにおいて、前記セカンダリセル状態管理部により管理されている当該第１のセカンダリセルの状態が非アクティブ状態である場合、当該第１のセカンダリセルの物理上りリンク制御チャネルでの上りリンク制御情報の送信を中止する送信制御部とを有する。【選択図】図４
2014110451.tif 000002
【特許請求の範囲】
【請求項１】
キャリアアグリゲーションを利用して通信する移動局であって、
セカンダリセルの状態がアクティブ状態であるか非アクティブ状態であるかを管理するセカンダリセル状態管理部と、
第１のセカンダリセルの物理上りリンク制御チャネルの送信タイミングにおいて、前記セカンダリセル状態管理部により管理されている当該第１のセカンダリセルの状態が非アクティブ状態である場合、当該第１のセカンダリセルの物理上りリンク制御チャネルでの上りリンク制御情報の送信を中止する送信制御部と、
を有する移動局。
【請求項２】
前記送信制御部は、第１のセカンダリセルの物理上りリンク制御チャネルの送信タイミングにおいて、プライマリセルの物理上りリンク制御チャネル又はアクティブ状態の第２のセカンダリセルの物理上りリンク制御チャネルを用いて、当該第１のセカンダリセルの物理上りリンク制御チャネルで送信されるべき上りリンク制御情報を送信するように制御する、請求項１に記載の移動局。
【請求項３】
前記送信制御部は、セカンダリセルのインデックス又はセルの品質に基づいて、当該第１のセカンダリセルの物理上りリンク制御チャネルで送信されるべき上りリンク制御情報を送信するセルを選択する、請求項２に記載の移動局。
【請求項４】
物理上りリンク共有チャネルのリソースを管理するリソース管理部を更に有し、
前記送信制御部は、第１のセカンダリセルの物理上りリンク制御チャネルの送信タイミングにおいて、物理上りリンク共有チャネルのリソースが存在する場合、物理上りリンク共有チャネルを用いて、当該第１のセカンダリセルの物理上りリンク制御チャネルで送信されるべき上りリンク制御情報を送信するように制御する、請求項１に記載の移動局。
【請求項５】
キャリアアグリゲーションを利用して通信する移動局における制御方法であって、
セカンダリセルの状態がアクティブ状態であるか非アクティブ状態であるかをセカンダリセル状態管理部において管理するステップと、
第１のセカンダリセルの物理上りリンク制御チャネルの送信タイミングにおいて、前記セカンダリセル状態管理部により管理されている当該第１のセカンダリセルの状態が非アクティブ状態である場合、当該第１のセカンダリセルの物理上りリンク制御チャネルでの上りリンク制御情報の送信を中止するステップと、
を有する制御方法。
【請求項６】
キャリアアグリゲーションを利用して通信する移動局であって、
セカンダリセルの状態がアクティブ状態であるか非アクティブ状態であるかを管理するセカンダリセル状態管理部と、
前記セカンダリセル状態管理部により管理されているセカンダリセルの状態が非アクティブ状態であり、基地局により管理されている当該セカンダリセルの状態がアクティブ状態であるという状態の不一致を検出する状態不一致検出部と、
前記状態不一致検出部により当該セカンダリセルの状態の不一致が検出された場合、当該セカンダリセルの状態が非アクティブ状態であるという通知を前記基地局に送信する送信部と、
を有する移動局。
【請求項７】
キャリアアグリゲーションを利用して通信する移動局における制御方法であって、
セカンダリセルの状態がアクティブ状態であるか非アクティブ状態であるかをセカンダリセル状態管理部において管理するステップと、
前記セカンダリセル状態管理部により管理されているセカンダリセルの状態が非アクティブ状態であり、基地局により管理されている当該セカンダリセルの状態がアクティブ状態であるという状態の不一致を検出するステップと、
当該セカンダリセルの状態の不一致が検出された場合、当該セカンダリセルの状態が非アクティブ状態であるという通知を前記基地局に送信するステップと、
を有する制御方法。
【請求項８】
キャリアアグリゲーションを利用して通信する移動局であって、
基地局からセカンダリセルを非アクティブ状態に遷移させる指示を基地局から受信する受信部と、
前記受信部により受信した指示が物理上りリンク制御チャネルをサポートするセカンダリセルについての指示である場合、前記受信部により受信した指示を破棄する遷移指示制御部と、
を有する移動局。
【請求項９】
前記遷移指示制御部は、物理上りリンク制御チャネルをサポートするセカンダリセルに、当該セカンダリセルを非アクティブ状態に遷移させるタイマが設定されている場合、当該タイマが満了しても当該セカンダリセルをアクティブ状態に保持する、請求項８に記載の移動局。
【請求項１０】
キャリアアグリゲーションを利用して通信する移動局における制御方法であって、
基地局からセカンダリセルを非アクティブ状態に遷移させる指示を基地局から受信するステップと、
受信した指示が物理上りリンク制御チャネルをサポートするセカンダリセルについての指示である場合、前記受信部により受信した指示を破棄するステップと、
を有する制御方法。
【発明の詳細な説明】
【技術分野】
【０００１】
本発明は、移動局及び制御方法に関する。
【背景技術】
【０００２】
現在、３ＧＰＰ（３ｒｄ  Ｇｅｎｅｒａｔｉｏｎ  Ｐａｒｔｎｅｒｓｈｉｐ  Ｐｒｏｊｅｃｔ）では、ＬＴＥ（Ｌｏｎｇ  Ｔｅｒｍ  Ｅｖｏｌｕｔｉｏｎ）の次世代の通信規格として、ＬＴＥ−Ａ（Ｌｏｎｇ  Ｔｅｒｍ  Ｅｖｏｌｕｔｉｏｎ−Ａｄｖａｎｃｅｄ）の標準化が進められている。ＬＴＥ−Ａシステムでは、ＬＴＥシステムとのバックワードコンパチビリティを確保しつつ、ＬＴＥシステムを上回るスループットを実現するため、キャリアアグリゲーション（ＣＡ：Ｃａｒｒｉｅｒ  Ａｇｇｒｅｇａｔｉｏｎ）技術が導入される。キャリアアグリゲーション技術では、ＬＴＥシステムによりサポートされている２０ＭＨｚの最大帯域幅を有するＬＴＥキャリア（コンポーネントキャリアとも呼ばれる）が基本コンポーネントとして利用され、複数のコンポーネントキャリアを同時に用いることによって、より広帯域な通信を実現することが図られている。
【０００３】
キャリアアグリゲーションでは、例えば、図１に示されるようなコンポーネントキャリアの配置が想定される。ケース１では、隣接する２０ＭＨｚの２つの帯域が、キャリアアグリゲーションによって４０ＭＨｚの帯域として利用可能になる。ケース１は、２０ＭＨｚより大きな連続する帯域を確保可能なケースなどに効果的に用いられ、ＬＴＥシステムとのバックワードコンパチビリティを確保しつつ、ＬＴＥシステムを上回るスループットを実現することができる。ケース２では、離間した１０ＭＨｚの２つの帯域が、キャリアアグリゲーションによって２０ＭＨｚの帯域として利用可能になる。ケース２は、事業者への周波数帯域の割当てが断片的である場合などに効果的に用いられ、ＬＴＥシステムとのバックワードコンパチビリティを確保しつつ、ＬＴＥシステムを上回るスループットを実現することができる。
【０００４】
キャリアアグリゲーションでは、移動局（ＵＥ：Ｕｓｅｒ  Ｅｑｕｉｐｍｅｎｔ）は、複数のコンポーネントキャリアを同時に用いて基地局（ｅＮＢ：ｅｖｏｌｖｅｄ  ＮｏｄｅＢ）と通信することが可能である。キャリアアグリゲーションでは、移動局との接続性を担保する信頼性の高いプライマリセル（Ｐｃｅｌｌ：Ｐｒｉｍａｒｙ  Ｃｅｌｌ）と、プライマリセルに接続中の移動局に追加的に設定されるセカンダリセル（Ｓｃｅｌｌ：Ｓｅｃｏｎｄａｒｙ  Ｃｅｌｌ）とが設定される。例えば、図１に示される具体例において、２つのコンポーネントキャリアの一方がプライマリセルに設定され、他方がセカンダリセルに設定されてもよい（非特許文献１参照）。
【０００５】
プライマリセルは、ＬＴＥシステムと同様のセルであり、移動局とネットワークとの間の接続性を担保するためのセルである。すなわち、プライマリセルでは、移動局は、物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）や物理下りリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）を受信し、物理上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）、物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）及び物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）を送信することが可能である。また、プライマリセルを変更する場合、移動局は、ハンドオーバを実行する必要がある。
【０００６】
他方、セカンダリセルは、プライマリセルに追加されて移動局に設定されるセルである。セカンダリセルの追加及び削除は、ＲＲＣ（Ｒａｄｉｏ  Ｒｅｓｏｕｒｃｅ  Ｃｏｎｔｒｏｌ）のコンフィギュレーション（Ｃｏｎｆｉｇｕｒａｔｉｏｎ）により実行される。セカンダリセルでは、移動局は、ＰＵＣＣＨ及びＰＲＡＣＨを送信しない。また、セカンダリセルが移動局に設定された直後は非アクティブ（ｄｅａｃｔｉｖａｔｅ）状態であり、ＭＡＣ（Ｍｅｄｉｕｍ  Ａｃｃｅｓｓ  Ｃｏｎｔｒｏｌ）レイヤにおいてアクティブ化（ａｃｔｉｖａｔｉｏｎ）することではじめて通信可能又はスケジューリング可能となる。このため、設定されたセカンダリセルを通信可能な状態、すなわち、スケジューリング可能な状態にするには、セカンダリセルをアクティブ（ａｃｔｉｖａｔｅ）状態に遷移させる必要がある。
【０００７】
現在検討されているＬＴＥ−Ａシステムでは、セカンダリセルをアクティブ状態及び非アクティブ状態に遷移させるため、図２に示されるように、基地局は、ＭＡＣレイヤにおいてＭＡＣ  ＣＥ（Ｃｏｎｔｒｏｌ  Ｅｌｅｍｅｎｔ）を移動局に送信することによって、設定されたセカンダリセルをアクティブ化／非アクティブ化するよう移動局に指示する。移動局は、これら明示的な状態遷移指示を受信すると、セカンダリセルを指示された状態に遷移させる。
【０００８】
また、セカンダリセルをアクティブ化するためのＭＡＣ  ＣＥを基地局から受信すると、移動局は、当該セカンダリセルをアクティブ化すると共に、所定の期間後に当該セカンダリセルを非アクティブ状態に遷移させるためのＳｃｅｌｌ  Ｄｅａｃｔｉｖａｔｉｏｎ  Ｔｉｍｅｒを起動する。他方、基地局もまた、ＭＡＣ  ＣＥを送信したタイミングで、或いは、移動局からＭＡＣ  ＣＥに対する送達確認（ＡＣＫ）を受信すると、Ｓｃｅｌｌ  Ｄｅａｃｔｉｖａｔｉｏｎ  Ｔｉｍｅｒを起動する。すなわち、基地局と移動局とが、各自のＳｃｅｌｌ  Ｄｅａｃｔｉｖａｔｉｏｎ  Ｔｉｍｅｒを保持し、アクティブ化された当該セカンダリセルの状態を管理する。Ｓｃｅｌｌ  Ｄｅａｃｔｉｖａｔｉｏｎ  Ｔｉｍｅｒの起動後、基地局が当該セカンダリセルにおいて新規無線リソースを移動局にスケジューリングすると、基地局と移動局とは、各自のＳｃｅｌｌ  Ｄｅａｃｔｉｖａｔｉｏｎ  Ｔｉｍｅｒを再起動する。その後、Ｓｃｅｌｌ  Ｄｅａｃｔｉｖａｔｉｏｎ  Ｔｉｍｅｒが満了するか、又は基地局から当該セカンダリセルを非アクティブ化するための明示的な状態遷移指示を受信すると、移動局は、当該セカンダリセルを非アクティブ状態に遷移させる。基地局もまた、当該セカンダリセルに対して管理しているＳｃｅｌｌ  Ｄｅａｃｔｉｖａｔｉｏｎ  Ｔｉｍｅｒが満了するか、或いは、移動局から当該セカンダリセルを非アクティブ化したという通知を受信すると、当該セカンダリセルが非アクティブ化されたと判断し、当該セカンダリセルにおける移動局への無線リソースのスケジューリングをやめる。このようにして、基地局と移動局との間でセカンダリセルのアクティブ状態／非アクティブ状態を一致させることが可能である。
【先行技術文献】
【非特許文献】
【０００９】
【非特許文献１】３ＧＰＰ  ＴＳ３６．３００  Ｖ１１．３．０（２０１２−０９）  ｓｅｃｔｉｏｎ７．５
【発明の概要】
【発明が解決しようとする課題】
【００１０】
上記のように、ＰＵＣＣＨは、プライマリセルのみでサポートされている。すなわち、送達確認（ＡＣＫ／ＮＡＣＫ）、スケジューリングリクエスト（ＳＲ：Ｓｃｈｅｄｕｌｉｎｇ  Ｒｅｑｕｅｓｔ）及びチャネル品質情報（ＣＱＩ：Ｃｈａｎｎｅｌ  Ｑｕａｌｉｔｙ  Ｉｎｄｉｃａｔｏｒ）のような上りリンク制御情報（ＵＣＩ：Ｕｐｌｉｎｋ  Ｃｏｎｔｒｏｌ  Ｉｎｆｏｒｍａｔｉｏｎ）は、プライマリセルのＰＵＣＣＨで送信される。
【００１１】
しかしながら、ＰＵＣＣＨをプライマリセルのみでサポートする場合、特定のセルをプライマリセルとして使用する移動局の数の増加に伴い、ＰＵＣＣＨリソースが不足する可能性がある。例えば、マクロセルにオーバーレイする形でピコセルやフェムトセルのようなスモールセルをカバーする基地局を配置し、移動局のモビリティ管理をマクロセルで担保する場合、マクロセルのＰＵＣＣＨリソースが不足する可能性がある。また、例えば、音声をマクロセルでスケジューリングするためにマクロセルをプライマリセルとして設定する場合にもＰＵＣＣＨリソースが不足する可能性がある。
【００１２】
ＰＵＣＣＨリソースの不足に対処するために、各セルについてプライマリセルとして接続できる移動局の数を制限することもできる。すなわち、所定数を超えた移動局については別のセルをプライマリセルとして使用させることもできる。しかし、プライマリセルを変更するためにはハンドオーバ手順が必要になるため、制御負荷の観点やユーザスループットの観点から望ましくない。従って、セカンダリセルにおいてもＰＵＣＣＨをサポートすることが望まれる。
【００１３】
また、異なる基地局配下のコンポーネントキャリアを用いたキャリアアグリゲーションが採用されることが想定される。これは、Ｉｎｔｅｒ−ｓｉｔｅ  ＣＡと呼ばれる。Ｉｎｔｅｒ−ｓｉｔｅ  ＣＡでは、ＰＵＣＣＨで送信される上りリンク制御情報は、下りリンク送信を行った基地局に対して送信されるべきであるため、セカンダリセルにおいてもＰＵＣＣＨをサポートすることが望まれる。
【００１４】
ここで、セカンダリセルにおいてもＰＵＣＣＨをサポートする場合、基地局と移動局との間でセカンダリセルのアクティブ状態／非アクティブ状態の不一致が生じた場合に、セカンダリセルのＰＵＣＣＨが適切に処理されないという問題がある。
【００１５】
例えば、図３に示されるように、設定されたセカンダリセルをアクティブ化するために基地局から送信されたＭＡＣ  ＣＥが移動局に適切に受信されず、さらに基地局が、ノイズや干渉などによりこの送信したＭＡＣ  ＣＥに対して移動局からＡＣＫを受信したと誤判定した場合（ＮＡＣＫ→ＡＣＫ誤り）、移動局は当該セカンダリセルを非アクティブ状態に留める一方、基地局は当該セカンダリセルがアクティブ状態に遷移したと誤認することになる。すなわち、基地局と移動局との間で当該セカンダリセルのアクティブ状態／非アクティブ状態の不一致が生じることになる。このようなセカンダリセルのアクティブ状態／非アクティブ状態の不一致は、Ｓｃｅｌｌ  Ｄｅａｃｔｉｖａｔｉｏｎ  Ｔｉｍｅｒのミスアライメントによっても生じる。
【００１６】
移動局がセカンダリセルを非アクティブ状態に留める一方、基地局が当該セカンダリセルをアクティブ状態と認識している場合、基地局は、当該セカンダリセルのＰＵＣＣＨで送信されるべき上りリンク制御情報を取得することができない。
【００１７】
本発明は、移動局がセカンダリセルを非アクティブ状態に留める一方、基地局が当該セカンダリセルをアクティブ状態と認識する可能性がある場合においても、移動局及び基地局がセカンダリセルのＰＵＣＣＨを処理することができる手法を提供することを目的とする。
【課題を解決するための手段】
【００１８】
本発明の一形態による移動局は、
キャリアアグリゲーションを利用して通信する移動局であって、
セカンダリセルの状態がアクティブ状態であるか非アクティブ状態であるかを管理するセカンダリセル状態管理部と、
第１のセカンダリセルの物理上りリンク制御チャネルの送信タイミングにおいて、前記セカンダリセル状態管理部により管理されている当該第１のセカンダリセルの状態が非アクティブ状態である場合、当該第１のセカンダリセルの物理上りリンク制御チャネルでの上りリンク制御情報の送信を中止する送信制御部と、
を有することを特徴とする。
【００１９】
また、本発明の一形態による制御方法は、
キャリアアグリゲーションを利用して通信する移動局における制御方法であって、
セカンダリセルの状態がアクティブ状態であるか非アクティブ状態であるかをセカンダリセル状態管理部において管理するステップと、
第１のセカンダリセルの物理上りリンク制御チャネルの送信タイミングにおいて、前記セカンダリセル状態管理部により管理されている当該第１のセカンダリセルの状態が非アクティブ状態である場合、当該第１のセカンダリセルの物理上りリンク制御チャネルでの上りリンク制御情報の送信を中止するステップと、
を有することを特徴とする。
【００２０】
また、本発明の一形態による移動局は、
キャリアアグリゲーションを利用して通信する移動局であって、
セカンダリセルの状態がアクティブ状態であるか非アクティブ状態であるかを管理するセカンダリセル状態管理部と、
前記セカンダリセル状態管理部により管理されているセカンダリセルの状態が非アクティブ状態であり、基地局により管理されている当該セカンダリセルの状態がアクティブ状態であるという状態の不一致を検出する状態不一致検出部と、
前記状態不一致検出部により当該セカンダリセルの状態の不一致が検出された場合、当該セカンダリセルの状態が非アクティブ状態であるという通知を前記基地局に送信する送信部と、
を有することを特徴とする。
【００２１】
また、本発明の一形態による制御方法は、
キャリアアグリゲーションを利用して通信する移動局における制御方法であって、
セカンダリセルの状態がアクティブ状態であるか非アクティブ状態であるかをセカンダリセル状態管理部において管理するステップと、
前記セカンダリセル状態管理部により管理されているセカンダリセルの状態が非アクティブ状態であり、基地局により管理されている当該セカンダリセルの状態がアクティブ状態であるという状態の不一致を検出するステップと、
当該セカンダリセルの状態の不一致が検出された場合、当該セカンダリセルの状態が非アクティブ状態であるという通知を前記基地局に送信するステップと、
を有することを特徴とする。
【００２２】
また、本発明の一形態による移動局は、
キャリアアグリゲーションを利用して通信する移動局であって、
基地局からセカンダリセルを非アクティブ状態に遷移させる指示を基地局から受信する受信部と、
前記受信部により受信した指示が物理上りリンク制御チャネルをサポートするセカンダリセルについての指示である場合、前記受信部により受信した指示を破棄する遷移指示制御部と、
を有することを特徴とする。
【００２３】
また、本発明の一形態による制御方法は、
キャリアアグリゲーションを利用して通信する移動局における制御方法であって、
基地局からセカンダリセルを非アクティブ状態に遷移させる指示を基地局から受信するステップと、
受信した指示が物理上りリンク制御チャネルをサポートするセカンダリセルについての指示である場合、前記受信部により受信した指示を破棄するステップと、
を有することを特徴とする。
【発明の効果】
【００２４】
本発明によれば、移動局がセカンダリセルを非アクティブ状態に留める一方、基地局が当該セカンダリセルをアクティブ状態と認識する可能性がある場合においても、移動局及び基地局がセカンダリセルのＰＵＣＣＨを処理することが可能になる。
【図面の簡単な説明】
【００２５】
【図１】キャリアアグリゲーションを概略的に示す図である。
【図２】セカンダリセルのアクティブ状態／非アクティブ状態の遷移を概略的に示す図である。
【図３】セカンダリセルのアクティブ状態／非アクティブ状態の不一致を概略的に示す図である。
【図４】本発明の一実施例による移動局の構成を示すブロック図である。
【図５】本発明の一実施例による移動局における制御方法を示すフローチャートである。
【図６】本発明の一実施例による基地局の構成を示すブロック図である。
【図７】本発明の一実施例による基地局における制御方法を示すフローチャートである。
【図８】本発明の一実施例による移動局における制御方法を示すフローチャートである。
【図９】本発明の一実施例による基地局における制御方法を示すフローチャートである。
【図１０】本発明の一実施例による移動局の構成を示すブロック図である。
【図１１】本発明の一実施例による移動局における制御方法を示すフローチャートである。
【図１２】本発明の一実施例による基地局の構成を示すブロック図である。
【図１３】本発明の一実施例による基地局における制御方法を示すフローチャートである。
【図１４】本発明の一実施例による移動局の構成を示すブロック図である。
【図１５】本発明の一実施例による移動局における制御方法を示すフローチャートである。
【発明を実施するための形態】
【００２６】
以下、本発明の実施例について、図面を参照して説明する。
【００２７】
本発明の実施例では、ＬＴＥ−Ａ（Ｌｏｎｇ  Ｔｅｒｍ  Ｅｖｏｌｕｔｉｏｎ  Ａｄｖａｎｃｅｄ）システムのような無線通信システムにおいて、キャリアアグリゲーションを利用して通信する移動局及び基地局について説明する。キャリアアグリゲーションでは、基地局（ｅＮＢ：ｅｖｏｌｖｅｄ  ＮｏｄｅＢ）は、移動局（ＵＥ：Ｕｓｅｒ  Ｅｑｕｉｐｍｅｎｔ）との接続性を担保するためのプライマリセルと、プライマリセルに接続中の移動局に追加的に設定されるセカンダリセルとが用いられる。また、プライマリセルのみならず、セカンダリセルにおいてもＰＵＣＣＨをサポートすることを想定する。すなわち、移動局は、送達確認（ＡＣＫ／ＮＡＣＫ）、スケジューリングリクエスト（ＳＲ：Ｓｃｈｅｄｕｌｉｎｇ  Ｒｅｑｕｅｓｔ）及びチャネル品質情報（ＣＱＩ：Ｃｈａｎｎｅｌ  Ｑｕａｌｉｔｙ  Ｉｎｄｉｃａｔｏｒ）のような上りリンク制御情報（ＵＣＩ：Ｕｐｌｉｎｋ  Ｃｏｎｔｒｏｌ  Ｉｎｆｏｒｍａｔｉｏｎ）をプライマリセルのＰＵＣＣＨだけでなく、セカンダリセルのＰＵＣＣＨでも送信することを想定する。なお、全てのセカンダリセルがＰＵＣＣＨをサポートしてもよく、一部のセカンダリセルがＰＵＣＣＨをサポートしてもよい。
【００２８】
セカンダリセルにおいてもＰＵＣＣＨをサポートする場合、基地局と移動局との間でセカンダリセルのアクティブ状態／非アクティブ状態の不一致が生じた場合に、セカンダリセルのＰＵＣＣＨが適切に処理されない。例えば、移動局がセカンダリセルを非アクティブ状態に留める一方、基地局が当該セカンダリセルをアクティブ状態と認識している場合、基地局は、セカンダリセルのＰＵＣＣＨで送信されるべき上りリンク制御情報を取得することができず、適切にスケジューリングを行うことができない。
【００２９】
このような場合、本発明の実施例は、下記のいずれかの手法によりセカンダリセルのＰＵＣＣＨ送信を制御する。
【００３０】
（１）ＰＵＣＣＨをサポートしている別のセルで送信する手法
セカンダリセルのＰＵＣＣＨの送信タイミングにおいて当該セカンダリセルの状態が非アクティブ状態である場合、移動局は、当該セカンダリセルのＰＵＣＣＨでの上りリンク制御情報の送信を中止する。その代わりに、移動局は、ＰＵＣＣＨをサポートしている別のセルで、当該セカンダリセルのＰＵＣＣＨで送信されるべき上りリンク制御情報を送信する。
【００３１】
（２）非アクティブ状態のセカンダリセルのＰＵＣＣＨ送信を中止する手法
セカンダリセルのＰＵＣＣＨの送信タイミングにおいて当該セカンダリセルの状態が非アクティブ状態である場合、移動局は、当該セカンダリセルのＰＵＣＣＨでの上りリンク制御情報の送信を中止する。なお、ＰＵＣＣＨの送信タイミングにおいてＰＵＳＣＨのリソースが割り当てられている場合、移動局は、ＰＵＳＣＨを用いて、当該セカンダリセルのＰＵＣＣＨで送信されるべき上りリンク制御情報を送信してもよい。
【００３２】
（３）ＰＵＣＣＨをサポートするセカンダリセルの状態が非アクティブ状態であることを基地局に通知する手法
ＰＵＣＣＨをサポートするセカンダリセルについて移動局が基地局とのアクティブ状態／非アクティブ状態の不一致を認識した場合、移動局は、当該セカンダリセルの状態が非アクティブ状態であるという通知を基地局に送信する。
【００３３】
（４）ＰＵＣＣＨをサポートするセカンダリセルは非アクティブ状態に設定しない手法
ＰＵＣＣＨをサポートするセカンダリセルについては、移動局が基地局から非アクティブ状態に遷移させる指示を受信した場合であっても、移動局は当該指示を破棄する。また、所定の期間後に当該セカンダリセルを非アクティブ状態に遷移させるためのＳｃｅｌｌ  Ｄｅａｃｔｉｖａｔｉｏｎ  Ｔｉｍｅｒが満了しても、移動局は、当該セカンダリセルを非アクティブ状態に遷移させない。
【００３４】
それぞれの手法について、以下に説明する。
【００３５】
（１）ＰＵＣＣＨをサポートしている別のセルで送信する手法
＜移動局の構成及び動作＞
図４に、本発明の一実施例による移動局１００の構成を示す。移動局１００は、携帯電話やスマートフォンなどの無線通信機能を備えた何れか適切な装置であってもよい。
【００３６】
移動局１００は、下りリンク（ＤＬ）信号受信部１１０と、上りリンク（ＵＬ）信号送信部１２０と、セカンダリセル（Ｓｃｅｌｌ）状態管理部１３０と、上りリンク（ＵＬ）リソース管理部１４０と、送信制御部１５０とを有する。
【００３７】
ＤＬ信号受信部１１０は、プライマリセル及び／又はセカンダリセルを介して、基地局からデータ及び／又は制御情報を含む無線信号を受信する。ＰＵＣＣＨ送信に関して、ＤＬ信号受信部１１０は、基地局からＰＵＣＣＨリソースを示す制御情報を受信する。本手法では、基地局は、セカンダリセルのアクティブ状態／非アクティブ状態の不一致に備えて、当該セカンダリセルとは別のセルからＰＵＣＣＨで送信されるべき上りリンク制御情報を受信できるようにＰＵＣＣＨリソースを確保する。例えば、プライマリセルの他に２つのアクティブ状態のセカンダリセルでＰＵＣＣＨがサポートされる場合、基地局は、プライマリセルにおいて２つのセカンダリセルのＰＵＣＣＨリソースを確保してもよく、各セカンダリセルにおいて２つのセカンダリセルのＰＵＣＣＨリソースを確保してもよい。また、基地局は、インデックスの大きいセカンダリセル又は小さいセカンダリセルに、２つのセカンダリセルのＰＵＣＣＨリソースを確保してもよい。なお、セカンダリセルのインデックスとは、セカンダリセルが追加される場合に基地局によりセカンダリセルのセルＩＤと共に指定される値である。また、基地局は、最も品質の良いセルに、２つのセカンダリセルのＰＵＣＣＨリソースを確保してもよい。ここで、最も品質の良いセルとは、プライマリセル及びＰＵＣＣＨをサポートするセカンダリセルのうち最も品質の良いセルを示す。ＤＬ信号受信部１１０がこのように確保したＰＵＣＣＨリソースを示す制御情報を受信することにより、移動局１００は、上りリンク制御情報を送信するセルを把握する。
【００３８】
ＵＬ信号送信部１２０は、プライマリセル及び／又はセカンダリセルを介して、基地局にデータ及び／又は制御情報を含む無線信号を送信する。ＰＵＣＣＨ送信に関して、ＵＬ信号送信部１２０は、基地局から指示されたＰＵＣＣＨリソースを用いて、ＡＣＫ／ＮＡＣＫ、ＳＲ及びＣＱＩのような上りリンク制御情報（ＵＣＩ）を送信する。
【００３９】
Ｓｃｅｌｌ状態管理部１３０は、セカンダリセルの状態がアクティブ状態であるか非アクティブ状態であるかを管理する。セカンダリセルは、ＲＲＣのコンフィギュレーションにより追加された直後は、非アクティブ状態である。このため、設定されたセカンダリセルを通信可能な状態、すなわち、スケジューリング可能な状態にするには、当該セカンダリセルをアクティブ状態に遷移させる必要がある。例えば、ＬＴＥ−Ａシステムでは、セカンダリセルをアクティブ状態及び非アクティブ状態に遷移させるため、基地局は、それぞれＭＡＣレイヤにおいてＭＡＣ  ＣＥを移動局１００に送信することによって、移動局１００をアクティブ状態／非アクティブ状態に遷移させる。Ｓｃｅｌｌ状態管理部１３０は、このような基地局からの遷移指示により、セカンダリセルの状態を遷移させる。
【００４０】
また、Ｓｃｅｌｌ状態管理部１３０は、セカンダリセルをアクティブ化するためのＭＡＣ  ＣＥを基地局から受信すると、当該セカンダリセルをタイマ満了時に非アクティブ状態に遷移させるためのＳｃｅｌｌ  Ｄｅａｃｔｉｖａｔｉｏｎ  Ｔｉｍｅｒを起動する。Ｓｃｅｌｌ  Ｄｅａｃｔｉｖａｔｉｏｎ  Ｔｉｍｅｒの起動後、基地局が当該セカンダリセルにおいて新規無線リソースをスケジューリングすると、Ｓｃｅｌｌ状態管理部１３０は、Ｓｃｅｌｌ  Ｄｅａｃｔｉｖａｔｉｏｎ  Ｔｉｍｅｒをリセットして再起動する。その後、Ｓｃｅｌｌ  Ｄｅａｃｔｉｖａｔｉｏｎ  Ｔｉｍｅｒが満了した場合、又は当該セカンダリセルを非アクティブ化するための明示的な状態遷移指示が基地局から移動局１００に送信された場合、Ｓｃｅｌｌ状態管理部１３０は、当該セカンダリセルを非アクティブ状態に遷移させる。
【００４１】
ＵＬリソース管理部１４０は、上りリンクの無線リソースを管理する。本手法では、ＵＬリソース管理部１４０は、ＤＬ信号受信部１１０がＰＵＣＣＨリソースを示す制御情報を受信すると、基地局により指示されたＰＵＣＣＨリソースをＵＬ信号送信部１２０及び送信制御部１５０に通知する。
【００４２】
送信制御部１５０は、ＵＬ信号送信部１２０による無線信号の送信を制御する。ＰＵＣＣＨ送信について、送信制御部１５０は、セカンダリセルのＰＵＣＣＨの送信タイミングにおいて、Ｓｃｅｌｌ状態管理部１３０により管理されている当該セカンダリセルの状態を確認する。当該セカンダリセルの状態が非アクティブ状態である場合、送信制御部１５０は、当該セカンダリセルのＰＵＣＣＨでの上りリンク制御情報の送信を中止する。上記のように、基地局は、当該セカンダリセルとは別のセルからＰＵＣＣＨで送信されるべき上りリンク制御情報を受信できるようにＰＵＣＣＨリソースを確保する。従って、送信制御部１５０は、プライマリセルのＰＵＣＣＨ又はアクティブ状態の他のセカンダリセルのＰＵＣＣＨを用いて、非アクティブ状態のセカンダリセルのＰＵＣＣＨで送信されるべき上りリンク制御情報を送信するように制御できる。
【００４３】
送信制御部１５０は、セカンダリセルのインデックス又はセルの品質に基づいて、非アクティブ状態のセカンダリセルのＰＵＣＣＨで送信されるべき上りリンク制御情報を送信するセルを選択してもよい。例えば、非アクティブ状態のセカンダリセルのＰＵＣＣＨで送信されるべき上りリンク制御情報は、プライマリセルで送信されてもよい。また、非アクティブ状態のセカンダリセルのＰＵＣＣＨで送信されるべき上りリンク制御情報は、ＰＵＣＣＨをサポートするアクティブ状態のセカンダリセルで送信されてもよい。更に、ＰＵＣＣＨをサポートするアクティブ状態のセカンダリセルが複数存在する場合には、インデックスの大きいセル又は小さいセルで送信されてもよい。また、非アクティブ状態のセカンダリセルのＰＵＣＣＨで送信されるべき上りリンク制御情報は、最も品質の良いセルで送信されてもよい。
【００４４】
図５に、本発明の一実施例による移動局１００における制御方法を示す。
【００４５】
ステップＳ１０１において、セカンダリセルでＰＵＣＣＨ送信がトリガされる。すなわち、送信制御部１５０は、セカンダリセルのＰＵＣＣＨの送信タイミングになったことを把握する。
【００４６】
ステップＳ１０３において、送信制御部１５０は、Ｓｃｅｌｌ状態管理部１３０により管理されているセカンダリセルの状態を確認する。ＰＵＣＣＨで上りリンク制御情報を送信すべきセカンダリセルの状態がアクティブ状態である場合（Ｓ１０３：Ｙｅｓ）、ステップＳ１０５において、送信制御部１５０は、当該セカンダリセルで、ＡＣＫ／ＮＡＣＫ、ＳＲ及びＣＱＩのような上りリンク制御情報（ＵＣＩ）を送信するように制御する。
【００４７】
一方、ＰＵＣＣＨで上りリンク制御情報を送信すべきセカンダリセルの状態が非アクティブ状態である場合（Ｓ１０３：Ｎｏ）、ステップ１０７において、送信制御部１５０は、当該セカンダリセルでの上りリンク制御情報の送信を中止する。その代わりに、送信制御部１５０は、プライマリセルのＰＵＣＣＨ又はアクティブ状態のセカンダリセルのＰＵＣＣＨで、ＡＣＫ／ＮＡＣＫ、ＳＲ及びＣＱＩのような上りリンク制御情報（ＵＣＩ）を送信するように制御する。
【００４８】
＜基地局の構成及び動作＞
図６に、本発明の一実施例による基地局２００の構成を示す。基地局２００は、移動局１００と無線接続することによって、交換局等から受信した下りリンクデータを移動局１００に送信すると共に、移動局１００から受信した上りリンクデータを交換局等に送信する。
【００４９】
基地局２００は、上りリンク（ＵＬ）信号受信部２１０と、下りリンク（ＤＬ）信号送信部２２０と、セカンダリセル（Ｓｃｅｌｌ）状態管理部２３０と、上りリンク（ＵＬ）リソース管理部２４０と、制御情報処理部２５０とを有する。
【００５０】
ＵＬ信号受信部２１０は、プライマリセル及び／又はセカンダリセルを介して、移動局からデータ及び／又は制御情報を含む無線信号を受信する。ＰＵＣＣＨ受信に関して、ＵＬ信号受信部２１０は、移動局からＡＣＫ／ＮＡＣＫ、ＳＲ及びＣＱＩのような上りリンク制御情報（ＵＣＩ）を受信する。本手法では、基地局２００は、セカンダリセルのアクティブ状態／非アクティブ状態の不一致に備えて、当該セカンダリセルとは別のセルからＰＵＣＣＨで送信されるべき上りリンク制御情報を受信できるようにＰＵＣＣＨリソースを確保する。このため、ＵＬ信号受信部２１０は、セカンダリセルのＰＵＣＣＨで送信されるべき上りリンク制御情報を当該セカンダリセルとは別のセルから受信してもよい。
【００５１】
ＤＬ信号送信部２２０は、プライマリセル及び／又はセカンダリセルを介して、移動局にデータ及び／又は制御情報を含む無線信号を送信する。ＰＵＣＣＨ受信のために、ＤＬ信号送信部２２０は、ＰＵＣＣＨリソースを示す制御情報を送信する。ＤＬ信号送信部２２０は、別のセルからセカンダリセルのＰＵＣＣＨで送信されるべき上りリンク制御情報を受信できるように確保したＰＵＣＣＨリソースを示す制御情報を送信する。
【００５２】
Ｓｃｅｌｌ状態管理部２３０は、セカンダリセルの状態がアクティブ状態であるか非アクティブ状態であるかを管理する。上記のように、セカンダリセルは、ＲＲＣのコンフィギュレーションにより追加された直後は、非アクティブ状態である。セカンダリセルをアクティブ状態及び非アクティブ状態に遷移させるため、基地局２００は、それぞれＭＡＣレイヤにおいてＭＡＣ  ＣＥを移動局に送信することによって、移動局をアクティブ状態／非アクティブ状態に遷移させる。Ｓｃｅｌｌ状態管理部２３０は、このような基地局２００からの遷移指示に対する移動局の送達確認（ＡＣＫ／ＮＡＣＫ）により、セカンダリセルの状態を遷移させる。
【００５３】
また、Ｓｃｅｌｌ状態管理部２３０は、移動局からＭＡＣ  ＣＥに対する送達確認（ＡＣＫ）を受信した場合、当該セカンダリセルがアクティブ化されていると判断し、当該セカンダリセルをタイマ満了時に非アクティブ状態に遷移させるためのＳｃｅｌｌ  Ｄｅａｃｔｉｖａｔｉｏｎ  Ｔｉｍｅｒを起動する。Ｓｃｅｌｌ  Ｄｅａｃｔｉｖａｔｉｏｎ  Ｔｉｍｅｒの起動後、基地局２００が当該セカンダリセルにおいて新規無線リソースをスケジューリングすると、Ｓｃｅｌｌ状態管理部２３０は、Ｓｃｅｌｌ  Ｄｅａｃｔｉｖａｔｉｏｎ  Ｔｉｍｅｒをリセットして再起動する。その後、Ｓｃｅｌｌ  Ｄｅａｃｔｉｖａｔｉｏｎ  Ｔｉｍｅｒが満了した場合、又は当該セカンダリセルを非アクティブ化するための明示的な状態遷移指示に対する送達確認（ＡＣＫ）が受信された場合、Ｓｃｅｌｌ状態管理部２３０は、当該セカンダリセルを非アクティブ状態に遷移させる。
【００５４】
なお、Ｓｃｅｌｌ状態管理部２３０は、別のセルからＰＵＣＣＨの上りリンク制御情報を受信した場合、基地局２００のセカンダリセルの状態と移動局のセカンダリセルの状態とが一致していないことを認識してもよい。この場合、Ｓｃｅｌｌ状態管理部２３０は、当該セカンダリセルの状態を非アクティブ状態に設定してもよい。或いは、Ｓｃｅｌｌ状態管理部２３０は、ＭＡＣ  ＣＥを移動局に送信することによって、移動局に対して当該セカンダリセルをアクティブ状態に遷移させてもよい。
【００５５】
ＵＬリソース管理部２４０は、上りリンクのリソースを管理する。上記のように、ＵＬリソース管理部２４０は、ＰＵＣＣＨをサポートするセカンダリセルにおいて、ＰＵＣＣＨリソースを確保すると共に、プライマリセル又はＰＵＣＣＨをサポートする別のセカンダリセルにおいても、当該セカンダリセルのＰＵＣＣＨリソースを確保する。例えば、プライマリセルの他に２つのアクティブ状態のセカンダリセルでＰＵＣＣＨがサポートされる場合、ＵＬリソース管理部２４０は、プライマリセルにおいて２つのセカンダリセルのＰＵＣＣＨリソースを確保してもよく、各セカンダリセルにおいて２つのセカンダリセルのＰＵＣＣＨリソースを確保してもよい。また、ＵＬリソース管理部２４０は、インデックスの大きいセカンダリセル又は小さいセカンダリセルに、２つのセカンダリセルのＰＵＣＣＨリソースを確保してもよい。また、ＵＬリソース管理部２４０は、最も品質の良いセルに、２つのセカンダリセルのＰＵＣＣＨリソースを確保してもよい。
【００５６】
制御情報処理部２５０は、ＵＬリソース管理部２４０により確保したＰＵＣＣＨリソースを監視し、セカンダリセルのＰＵＣＣＨの上りリンク制御情報を処理する。制御情報処理部２５０は、ＰＵＣＣＨをサポートするセカンダリセルから当該セカンダリセルのＰＵＣＣＨの上りリンク制御情報を受信した場合、受信した上りリンク制御情報をスケジューリング等に利用する。制御情報処理部２５０は、別のセルから当該セカンダリセルのＰＵＣＣＨで送信されるべき上りリンク制御情報が受信された場合であっても、受信した上りリンク制御情報をスケジューリング等に利用する。
【００５７】
図７に、本発明の一実施例による基地局２００における制御方法を示す。
【００５８】
ステップＳ２０１において、ＵＬリソース管理部２４０は、ＰＵＣＣＨをサポートするセカンダリセルにおいて、ＰＵＣＣＨリソースを確保すると共に、プライマリセル又はＰＵＣＣＨをサポートする別のセカンダリセルにおいても、当該セカンダリセルのＰＵＣＣＨリソースを確保する。
【００５９】
ステップＳ２０３において、制御情報処理部２５０は、ＵＬリソース管理部２４０により確保したＰＵＣＣＨリソースを監視し、別のセルにおいて、当該セカンダリセルのＰＵＣＣＨで送信されるべき上りリンク制御情報（ＵＣＩ）を受信したか否かを判断する。
【００６０】
別のセルにおいて当該セカンダリセルのＰＵＣＣＨで送信されるべき上りリンク制御情報を受信した場合（Ｓ２０３：Ｙｅｓ）、ステップ２０５において、制御情報処理部２５０は、別のセルから当該セカンダリセルのＰＵＣＣＨで送信されるべき上りリンク制御情報が受信された場合であっても、当該セカンダリセルの上りリンク制御情報として処理する。
【００６１】
別のセルにおいて当該セカンダリセルのＰＵＣＣＨで送信されるべき上りリンク制御情報を受信しなかった場合（Ｓ２０３：Ｎｏ）、すなわち、ＰＵＣＣＨをサポートするセカンダリセルから当該セカンダリセルのＰＵＣＣＨの上りリンク制御情報を受信した場合、ステップ２０７において、制御情報処理部２５０は、通常通り、受信した上りリンク制御情報を処理する。
【００６２】
（２）非アクティブ状態のセカンダリセルのＰＵＣＣＨ送信を中止する手法
＜移動局の構成及び動作＞
本手法において、移動局１００は、図４と同様に構成される。
【００６３】
ＤＬ信号受信部１１０は、図４を参照して説明した通り、プライマリセル及び／又はセカンダリセルを介して、基地局からデータ及び／又は制御情報を含む無線信号を受信する。制御情報には、基地局により割り当てられたＰＵＳＣＨリソースを示す制御情報が含まれる。ただし、本手法においては、基地局は、セカンダリセルのアクティブ状態／非アクティブ状態の不一致に備えて、当該セカンダリセルとは別のセルからＰＵＣＣＨで送信されるべき上りリンク制御情報を受信できるようにＰＵＣＣＨリソースを確保しない。
【００６４】
ＵＬ信号送信部１２０は、図４を参照して説明した通り、プライマリセル及び／又はセカンダリセルを介して、基地局にデータ及び／又は制御情報を含む無線信号を送信する。セカンダリセルのＰＵＣＣＨ送信が中止されている場合、以下に説明するように、ＵＬ信号送信部１２０は、ＰＵＳＣＨを用いて、当該セカンダリセルのＰＵＣＣＨで送信されるべき上りリンク制御情報を送信してもよい。
【００６５】
Ｓｃｅｌｌ状態管理部１３０は、図４を参照して説明した通り、セカンダリセルの状態がアクティブ状態であるか非アクティブ状態であるかを管理する。
【００６６】
ＵＬリソース管理部１４０は、図４を参照して説明した通り、上りリンクの無線リソースを管理する。本手法では、ＵＬリソース管理部１４０は、基地局により割り当てられたＰＵＳＣＨのリソースを管理する。本手法では、ＵＬリソース管理部１４０は、ＤＬ信号受信部１１０がＰＵＳＣＨリソースを示す制御情報を受信すると、基地局により指示されたＰＵＳＣＨリソースをＵＬ信号送信部１２０及び送信制御部１５０に通知する。
【００６７】
送信制御部１５０は、ＵＬ信号送信部１２０による無線信号の送信を制御する。ＰＵＣＣＨ送信について、送信制御部１５０は、セカンダリセルのＰＵＣＣＨの送信タイミングにおいて、Ｓｃｅｌｌ状態管理部１３０により管理されている当該セカンダリセルの状態を確認する。当該セカンダリセルの状態が非アクティブ状態である場合、送信制御部１５０は、当該セカンダリセルのＰＵＣＣＨでの上りリンク制御情報の送信を中止する。送信制御部１５０は、セカンダリセルのＰＵＣＣＨの送信タイミングにおいて、ＰＵＳＣＨのリソースが存在する場合、ＰＵＳＣＨを用いて当該セカンダリセルのＰＵＣＣＨで送信されるべき上りリンク制御情報を送信するように制御してもよい。例えば、ＰＵＣＣＨで送信されるべき上りリンク制御情報は、ＰＵＳＣＨにピギーバック（ｐｉｇｇｙ  ｂａｃｋ）されてもよい。
【００６８】
図８に、本発明の一実施例による移動局１００における制御方法を示す。
【００６９】
ステップＳ１１１において、セカンダリセルでＰＵＣＣＨ送信がトリガされる。すなわち、送信制御部１５０は、セカンダリセルのＰＵＣＣＨの送信タイミングになったことを把握する。
【００７０】
ステップＳ１１３において、送信制御部１５０は、Ｓｃｅｌｌ状態管理部１３０により管理されているセカンダリセルの状態を確認する。ＰＵＣＣＨを送信すべきセカンダリセルの状態がアクティブ状態である場合（Ｓ１１３：Ｙｅｓ）、ステップＳ１１５において、送信制御部１５０は、当該セカンダリセルで、ＡＣＫ／ＮＡＣＫ、ＳＲ及びＣＱＩのような上りリンク制御情報（ＵＣＩ）を送信するように制御する。
【００７１】
一方、ＰＵＣＣＨで上りリンク制御情報を送信すべきセカンダリセルの状態が非アクティブ状態である場合（Ｓ１１３：Ｎｏ）、ステップ１１７において、送信制御部１５０は、当該セカンダリセルでの上りリンク制御情報の送信を中止する。送信制御部１５０は、ＰＵＣＣＨの送信タイミングにおいてＰＵＳＣＨのリソースが存在する場合、ＰＵＳＣＨを用いてセカンダリセルのＰＵＣＣＨで送信されるべき上りリンク制御情報を送信するように制御してもよい。
【００７２】
＜基地局の構成及び動作＞
本手法において、基地局２００は、図６と同様に構成される。
【００７３】
ＵＬ信号受信部２１０は、図６を参照して説明した通り、プライマリセル及び／又はセカンダリセルを介して、移動局からデータ及び／又は制御情報を含む無線信号を受信する。本手法においては、基地局は、セカンダリセルのアクティブ状態／非アクティブ状態の不一致に備えて、当該セカンダリセルとは別のセルからＰＵＣＣＨで送信されるべき上りリンク制御情報を受信できるようにＰＵＣＣＨリソースを確保しない。ただし、セカンダリセルのＰＵＣＣＨの送信タイミングにおいてＰＵＳＣＨのリソースが存在する場合、ＵＬ信号受信部２１０は、ＰＵＳＣＨを用いて、セカンダリセルのＰＵＣＣＨで送信されるべき上りリンク制御情報を受信してもよい。
【００７４】
ＤＬ信号送信部２２０は、図６を参照して説明した通り、プライマリセル及び／又はセカンダリセルを介して、移動局にデータ及び／又は制御情報を含む無線信号を送信する。
【００７５】
Ｓｃｅｌｌ状態管理部２３０は、図６を参照して説明した通り、セカンダリセルの状態がアクティブ状態であるか非アクティブ状態であるかを管理する。
【００７６】
なお、Ｓｃｅｌｌ状態管理部２３０は、ＰＵＳＣＨからＰＵＣＣＨの上りリンク制御情報を受信した場合、基地局２００のセカンダリセルの状態と移動局のセカンダリセルの状態とが一致していないことを認識してもよい。この場合、Ｓｃｅｌｌ状態管理部２３０は、当該セカンダリセルの状態を非アクティブ状態に設定してもよい。或いは、Ｓｃｅｌｌ状態管理部２３０は、ＭＡＣ  ＣＥを移動局に送信することによって、移動局に対して当該セカンダリセルをアクティブ状態に遷移させてもよい。
【００７７】
ＵＬリソース管理部２４０は、上りリンクのリソースを管理する。本手法では、ＵＬリソース管理部２４０は、ＰＵＣＣＨリソースを確保すると共に、ＰＵＳＣＨのリソースを移動局に割り当てる。
【００７８】
制御情報処理部２５０は、ＵＬリソース管理部２４０により管理されているＰＵＣＣＨリソース及びＰＵＳＣＨリソースを監視し、セカンダリセルのＰＵＣＣＨの上りリンク制御情報を処理する。制御情報処理部２５０は、ＰＵＣＣＨでセカンダリセルのＰＵＣＣＨの上りリンク制御情報を受信した場合、受信した上りリンク制御情報をスケジューリング等に利用する。制御情報処理部２５０は、ＰＵＳＣＨからセカンダリセルのＰＵＣＣＨで送信されるべき上りリンク制御情報が受信された場合であっても、受信した上りリンク制御情報をスケジューリング等に利用する。
【００７９】
図９に、本発明の一実施例による基地局２００における制御方法を示す。
【００８０】
ステップＳ２１１において、ＵＬリソース管理部２４０は、ＰＵＣＣＨリソースを確保すると共に、ＰＵＳＣＨのリソースを移動局に割り当てる。
【００８１】
ステップＳ２１３において、制御情報処理部２５０は、ＵＬリソース管理部２４０により割り当てたＰＵＳＣＨリソースを監視し、ＰＵＳＣＨからセカンダリセルのＰＵＣＣＨで送信されるべき上りリンク制御情報（ＵＣＩ）を受信したか否かを判断する。
【００８２】
ＰＵＳＣＨからセカンダリセルのＰＵＣＣＨで送信されるべき上りリンク制御情報を受信した場合（Ｓ２１３：Ｙｅｓ）、ステップ２１５において、制御情報処理部２５０は、ＰＵＳＣＨからセカンダリセルのＰＵＣＣＨの上りリンク制御情報が受信された場合であっても、当該ＰＵＣＣＨの上りリンク制御情報として処理する。なお、ＰＵＳＣＨからセカンダリセルのＰＵＣＣＨの上りリンク制御情報を受信しなかった場合（Ｓ２１３：Ｎｏ）、すなわち、ＰＵＣＣＨで上りリンク制御情報を受信した場合、制御情報処理部２５０は、通常通り、ＰＵＣＣＨの上りリンク制御情報を処理する。
【００８３】
（３）ＰＵＣＣＨをサポートするセカンダリセルの状態が非アクティブ状態であることを基地局に通知する手法
＜移動局の構成及び動作＞
図１０に、本発明の一実施例による移動局３００の構成を示す。移動局３００は、下りリンク（ＤＬ）信号受信部３１０と、上りリンク（ＵＬ）信号送信部３２０と、セカンダリセル（Ｓｃｅｌｌ）状態管理部３３０と、セカンダリセル（Ｓｃｅｌｌ）状態不一致検出部３４０と、セカンダリセル（Ｓｃｅｌｌ）状態通知部３５０とを有する。
【００８４】
ＤＬ信号受信部３１０は、図４を参照して説明した通り、プライマリセル及び／又はセカンダリセルを介して、基地局からデータ及び／又は制御情報を含む無線信号を受信する。ただし、本手法においては、基地局は、セカンダリセルのアクティブ状態／非アクティブ状態の不一致に備えて、当該セカンダリセルとは別のセルからＰＵＣＣＨを受信できるようにＰＵＣＣＨリソースを確保しない。
【００８５】
ＵＬ信号送信部３２０は、図４を参照して説明した通り、プライマリセル及び／又はセカンダリセルを介して、基地局にデータ及び／又は制御情報を含む無線信号を送信する。
【００８６】
Ｓｃｅｌｌ状態管理部３３０は、図４を参照して説明した通り、セカンダリセルの状態がアクティブ状態であるか非アクティブ状態であるかを管理する。
【００８７】
Ｓｃｅｌｌ状態不一致検出部３４０は、移動局３００と基地局との間のセカンダリセルの状態の不一致を検出する。本手法においては、Ｓｃｅｌｌ状態不一致検出部３４０は、Ｓｃｅｌｌ状態管理部３３０により管理されているセカンダリセルの状態が非アクティブ状態であり、基地局により管理されている当該セカンダリセルの状態がアクティブ状態であるという状態の不一致を検出する。典型的には、ＰＵＣＣＨをサポートするセカンダリセルは、基地局へのフィードバック情報の送信のため、ＰＵＣＣＨが設定されてアクティブ状態になっている必要がある。このような状態において、基地局から誤って非アクティブ状態に遷移させる指示（ＭＡＣ  ＣＥ）を受信した場合、又はＳｃｅｌｌ  Ｄｅａｃｔｉｖａｔｉｏｎ  Ｔｉｍｅｒのミスアライメントにより移動局３００においてのみＳｃｅｌｌ  Ｄｅａｃｔｉｖａｔｉｏｎ  Ｔｉｍｅｒが満了した場合、Ｓｃｅｌｌ状態不一致検出部３４０は、状態の不一致を検出できる。また、Ｓｃｅｌｌ状態不一致検出部３４０は、Ｓｃｅｌｌ状態管理部３３０により管理されているセカンダリセルの状態が非アクティブ状態であるにも拘らず、当該セカンダリセルのＰＵＣＣＨ送信がトリガされた場合に、状態の不一致を検出してもよい。
【００８８】
Ｓｃｅｌｌ状態通知部３５０は、Ｓｃｅｌｌ状態不一致検出部３４０によりセカンダリセルの状態の不一致が検出された場合、当該セカンダリセルの状態が非アクティブ状態であるという通知を基地局に送信する。Ｓｃｅｌｌ状態通知部３５０は、状態の不一致を検出した時点で通知を基地局に送信してもよく、ＰＵＣＣＨ送信がトリガされた時点で通知を基地局に送信してもよい。また、このような通知は、ＭＡＣ  ＣＥ、ＲＲＣ信号、物理レイヤ信号等の如何なるレイヤの信号で送信されてもよい。
【００８９】
図１１に、本発明の一実施例による移動局３００における制御方法を示す。
【００９０】
ステップＳ３０１において、Ｓｃｅｌｌ状態管理部３３０は、基地局からの指示又はＳｃｅｌｌ  Ｄｅａｃｔｉｖａｔｉｏｎ  Ｔｉｍｅｒの満了により、セカンダリセルを非アクティブ状態に遷移させる。
【００９１】
ステップＳ３０３において、Ｓｃｅｌｌ状態不一致検出部３４０は、非アクティブ状態に遷移したセカンダリセルにＰＵＣＣＨが設定されているか否かを確認する。ＰＵＣＣＨが設定されている場合、Ｓｃｅｌｌ状態不一致検出部３４０は、移動局３００と基地局との間のセカンダリセルの状態の不一致を検出する。
【００９２】
非アクティブ状態に遷移したセカンダリセルにＰＵＣＣＨが設定されている場合（Ｓ３０３：Ｙｅｓ）、Ｓｃｅｌｌ状態通知部３５０は、当該セカンダリセルの状態が非アクティブ状態であるという通知を基地局に送信する。非アクティブ状態に遷移したセカンダリセルにＰＵＣＣＨが設定されていない場合（Ｓ３０３：Ｎｏ）、状態が一致していると考えられるため、Ｓｃｅｌｌ状態通知部３５０は、通知を基地局に送信しない。
【００９３】
＜基地局の構成及び動作＞
図１２に、本発明の一実施例による基地局４００の構成を示す。基地局４００は、上りリンク（ＵＬ）信号受信部４１０と、下りリンク（ＤＬ）信号送信部４２０と、セカンダリセル（Ｓｃｅｌｌ）状態管理部４３０とを有する。
【００９４】
ＵＬ信号受信部４１０は、プライマリセル及び／又はセカンダリセルを介して、移動局からデータ及び／又は制御情報を含む無線信号を受信する。本手法においては、ＵＬ信号受信部２１０は、セカンダリセルの状態が非アクティブ状態であるという通知を移動局から受信してもよい。
【００９５】
ＤＬ信号送信部４２０は、プライマリセル及び／又はセカンダリセルを介して、移動局にデータ及び／又は制御情報を含む無線信号を送信する。
【００９６】
Ｓｃｅｌｌ状態管理部４３０は、図６を参照して説明した通り、セカンダリセルの状態がアクティブ状態であるか非アクティブ状態であるかを管理する。Ｓｃｅｌｌ状態管理部４３０は、アクティブ状態のセカンダリセルについて、当該セカンダリセルの状態が非アクティブ状態であるという通知を受信した場合、基地局４００のセカンダリセルの状態と移動局のセカンダリセルの状態とが一致していないことを認識する。この場合、Ｓｃｅｌｌ状態管理部４３０は、当該セカンダリセルの状態を非アクティブ状態に設定してもよい。或いは、Ｓｃｅｌｌ状態管理部４３０は、ＭＡＣ  ＣＥを移動局に送信することによって、移動局に対して当該セカンダリセルをアクティブ状態に遷移させると共に、Ｓｃｅｌｌ  Ｄｅａｃｔｉｖａｔｉｏｎ  Ｔｉｍｅｒを再起動してもよい。
【００９７】
図１３に、本発明の一実施例による基地局４００における制御方法を示す。
【００９８】
ステップＳ４０１において、ＵＬ信号受信部４１０は、セカンダリセルの状態が非アクティブ状態であるという通知を移動局から受信する。Ｓｃｅｌｌ状態管理部４３０は、アクティブ状態のセカンダリセルについて、当該セカンダリセルの状態が非アクティブ状態であるという通知を受信した場合、基地局４００のセカンダリセルの状態と移動局のセカンダリセルの状態とが一致していないことを認識する。
【００９９】
ステップＳ４０３において、Ｓｃｅｌｌ状態管理部４３０は、セカンダリセルの状態の不一致を認識した場合、移動局に対して当該セカンダリセルをアクティブ状態に遷移させる。
【０１００】
ステップＳ４０５において、Ｓｃｅｌｌ状態管理部４３０は、Ｓｃｅｌｌ  Ｄｅａｃｔｉｖａｔｉｏｎ  Ｔｉｍｅｒを再起動する。
【０１０１】
なお、ステップＳ４０３において、Ｓｃｅｌｌ状態管理部４３０は、移動局に対して当該セカンダリセルをアクティブ状態に遷移させなくてもよく、単にＳｃｅｌｌ状態管理部４３０の状態を非アクティブ状態に設定してもよい。
【０１０２】
（４）ＰＵＣＣＨをサポートするセカンダリセルは非アクティブ状態に設定しない手法
＜移動局の構成及び動作＞
図１４に、本発明の一実施例による移動局５００の構成を示す。移動局５００は、下りリンク（ＤＬ）信号受信部５１０と、上りリンク（ＵＬ）信号送信部５２０と、セカンダリセル（Ｓｃｅｌｌ）状態管理部５３０と、遷移指示制御部５４０とを有する。
【０１０３】
ＤＬ信号受信部５１０は、図４を参照して説明した通り、プライマリセル及び／又はセカンダリセルを介して、基地局からデータ及び／又は制御情報を含む無線信号を受信する。制御情報には、セカンダリセルを非アクティブ状態に遷移させる指示（ＭＡＣ  ＣＥ）が含まれる。ただし、本手法においては、基地局は、セカンダリセルのアクティブ状態／非アクティブ状態の不一致に備えて、当該セカンダリセルとは別のセルからＰＵＣＣＨを受信できるようにＰＵＣＣＨリソースを確保しない。
【０１０４】
ＵＬ信号送信部５２０は、図４を参照して説明した通り、プライマリセル及び／又はセカンダリセルを介して、基地局にデータ及び／又は制御情報を含む無線信号を送信する。
【０１０５】
Ｓｃｅｌｌ状態管理部５３０は、図４を参照して説明した通り、セカンダリセルの状態がアクティブ状態であるか非アクティブ状態であるかを管理する。また、Ｓｃｅｌｌ状態管理部５３０は、セカンダリセルにおいてＰＵＣＣＨをサポートするか否かを管理する。
【０１０６】
遷移指示制御部５４０は、ＰＵＣＣＨをサポートするセカンダリセルについて、基地局からセカンダリセルを非アクティブ状態に遷移させる指示を受信した場合、当該指示を破棄する。遷移指示制御部５４０は、指示が破棄された場合、ＵＬ信号送信部５２０から当該指示が破棄されたという通知を基地局に送信してもよい。また、遷移指示制御部５４０は、Ｓｃｅｌｌ  Ｄｅａｃｔｉｖａｔｉｏｎ  Ｔｉｍｅｒが満了しても、セカンダリセルを非アクティブ状態に遷移させない。
【０１０７】
図１５に、本発明の一実施例による移動局５００における制御方法を示す。
【０１０８】
ステップＳ５０１において、ＵＬ信号受信部５１０は、基地局からセカンダリセルを非アクティブ状態に遷移させる指示を受信する。
【０１０９】
ステップＳ５０３において、遷移指示制御部５４０は、基地局からの指示がＰＵＣＣＨをサポートするセカンダリセルについての指示であるか否かを確認する。
【０１１０】
ＰＵＣＣＨをサポートするセカンダリセルについて非アクティブ状態に遷移させる指示を受信した場合（Ｓ５０３：Ｙｅｓ）、ステップＳ５０５において、遷移指示制御部５４０は、当該指示を破棄する。なお、ＰＵＣＣＨをサポートしないセカンダリセルについて非アクティブ状態に遷移させる指示を受信した場合（Ｓ５０３：Ｎｏ）、遷移指示制御部５４０は、通常通り、当該セカンダリセルを非アクティブ状態に遷移させる。
【０１１１】
なお、本手法においては、基地局は、セカンダリセルをアクティブ化するためのＭＡＣ  ＣＥに対する送達確認（ＡＣＫ）を受信しないため、基地局は、セカンダリセルの状態を非アクティブ状態に設定することはない。
【０１１２】
（５）実施例の効果
本発明の実施例によれば、移動局がセカンダリセルを非アクティブ状態に留める一方、基地局が当該セカンダリセルをアクティブ状態と認識する可能性がある場合においても、移動局及び基地局がセカンダリセルのＰＵＣＣＨを処理することが可能になる。
【０１１３】
ＰＵＣＣＨをサポートしている別のセルで送信する手法によれば、別のセルにおいてＰＵＣＣＨリソースが確保されているため、基地局は、セカンダリセルの状態の一致／不一致に拘らず、ＰＵＣＣＨの上りリンク制御情報を受信することが可能になる。
【０１１４】
非アクティブ状態のセカンダリセルのＰＵＣＣＨ送信を中止する手法によれば、別のセルにおいてＰＵＣＣＨリソースを確保する必要がないため、ＰＵＣＣＨのリソース不足を懸念する必要がなくなる。
【０１１５】
ＰＵＣＣＨをサポートするセカンダリセルの状態が非アクティブ状態であることを基地局に通知する手法によれば、基地局と移動局との間での状態の不一致を解消することが可能になり、正常な状態でＰＵＣＣＨの上りリンク制御情報を処理することが可能になる。
【０１１６】
ＰＵＣＣＨをサポートするセカンダリセルは非アクティブ状態に設定しない手法によれば、基地局と移動局との間で状態の不一致が生じることを回避することができる。
【０１１７】
説明の便宜上、本発明の実施例に係る移動局及び基地局は機能的なブロック図を用いて説明しているが、本発明の実施例に係る移動局及び基地局は、ハードウェア、ソフトウェア又はそれらの組み合わせで実現されてもよい。また、各機能部が必要に応じて組み合わせて使用されてもよい。また、本発明の実施例に係る制御方法は処理の流れを示すフローチャートを用いて説明しているが、本発明の実施例に係る制御方法は、実施例に示す順序と異なる順序で実施されてもよい。
【０１１８】
以上、移動局がセカンダリセルを非アクティブ状態に留める一方、基地局が当該セカンダリセルをアクティブ状態と認識する可能性がある場合においても、移動局及び基地局がセカンダリセルのＰＵＣＣＨを処理することができる手法について説明したが、本発明は、上記の実施例に限定されることなく、特許請求の範囲内において、種々の変更・応用が可能である。
【０１１９】
例えば、本発明の一形態において、移動局、基地局及び制御方法は以下のように表現されてもよい。
【０１２０】
（１）キャリアアグリゲーションを利用して通信する移動局であって、
セカンダリセルの状態がアクティブ状態であるか非アクティブ状態であるかを管理するセカンダリセル状態管理部と、
第１のセカンダリセルの物理上りリンク制御チャネルの送信タイミングにおいて、前記セカンダリセル状態管理部により管理されている当該第１のセカンダリセルの状態が非アクティブ状態である場合、当該第１のセカンダリセルの物理上りリンク制御チャネルでの上りリンク制御情報の送信を中止する送信制御部と、
を有する移動局。
【０１２１】
（２）前記送信制御部は、第１のセカンダリセルの物理上りリンク制御チャネルの送信タイミングにおいて、プライマリセルの物理上りリンク制御チャネル又はアクティブ状態の第２のセカンダリセルの物理上りリンク制御チャネルを用いて、当該第１のセカンダリセルの物理上りリンク制御チャネルで送信されるべき上りリンク制御情報を送信するように制御する、（１）に記載の移動局。
【０１２２】
（３）前記送信制御部は、セカンダリセルのインデックス又はセルの品質に基づいて、当該第１のセカンダリセルの物理上りリンク制御チャネルで送信されるべき上りリンク制御情報を送信するセルを選択する、（２）に記載の移動局。
【０１２３】
（４）物理上りリンク共有チャネルのリソースを管理するリソース管理部を更に有し、
前記送信制御部は、第１のセカンダリセルの物理上りリンク制御チャネルの送信タイミングにおいて、物理上りリンク共有チャネルのリソースが存在する場合、物理上りリンク共有チャネルを用いて、当該第１のセカンダリセルの物理上りリンク制御チャネルで送信されるべき上りリンク制御情報を送信するように制御する、（１）に記載の移動局。
【０１２４】
（５）キャリアアグリゲーションを利用して通信する移動局における制御方法であって、
セカンダリセルの状態がアクティブ状態であるか非アクティブ状態であるかをセカンダリセル状態管理部において管理するステップと、
第１のセカンダリセルの物理上りリンク制御チャネルの送信タイミングにおいて、前記セカンダリセル状態管理部により管理されている当該第１のセカンダリセルの状態が非アクティブ状態である場合、当該第１のセカンダリセルの物理上りリンク制御チャネルでの上りリンク制御情報の送信を中止するステップと、
を有する制御方法。
【０１２５】
（６）キャリアアグリゲーションを利用して通信する基地局であって、
物理上りリンク制御チャネルをサポートする第１のセカンダリセルにおいて、物理上りリンク制御チャネルのリソースを確保すると共に、プライマリセル又は物理上りリンク制御チャネルをサポートする第２のセカンダリセルにおいても、当該第１のセカンダリセルの物理上りリンク制御チャネルで送信されるべき上りリンク制御情報のリソースを確保するリソース管理部と、
前記リソース管理部により確保した物理上りリンク制御チャネルのリソースで、当該第１のセカンダリセルの物理上りリンク制御チャネルで送信されるべき上りリンク制御情報が受信された場合、受信した上りリンク制御情報を処理する制御情報処理部と、
を有する基地局。
【０１２６】
（７）キャリアアグリゲーションを利用して通信する基地局における制御方法であって、
物理上りリンク制御チャネルをサポートする第１のセカンダリセルにおいて、物理上りリンク制御チャネルのリソースを確保すると共に、プライマリセル又は物理上りリンク制御チャネルをサポートする第２のセカンダリセルにおいても、当該第１のセカンダリセルの物理上りリンク制御チャネルで送信されるべき上りリンク制御情報のリソースを確保するステップと、
確保した物理上りリンク制御チャネルのリソースで、当該第１のセカンダリセルの物理上りリンク制御チャネルで送信されるべき上りリンク制御情報が受信された場合、受信した上りリンク制御情報を処理するステップと、
を有する制御方法。
【０１２７】
（８）キャリアアグリゲーションを利用して通信する基地局であって、
物理上りリンク共有チャネルのリソースを移動局に割り当てるリソース管理部と、
前記リソース管理部により割り当てた物理上りリンク共有チャネルのリソースで、前記移動局からセカンダリセルの物理上りリンク制御チャネルで送信されるべき上りリンク制御情報が受信された場合、受信した上りリンク制御情報を処理する制御情報処理部と、
を有する基地局。
【０１２８】
（９）キャリアアグリゲーションを利用して通信する基地局における制御方法であって、
物理上りリンク共有チャネルのリソースを移動局に割り当てるステップと、
割り当てた物理上りリンク共有チャネルのリソースで、前記移動局からセカンダリセルの物理上りリンク制御チャネルで送信されるべき上りリンク制御情報が受信された場合、受信した上りリンク制御情報を処理するステップと、
を有する制御方法。
【０１２９】
（１０）キャリアアグリゲーションを利用して通信する移動局であって、
セカンダリセルの状態がアクティブ状態であるか非アクティブ状態であるかを管理するセカンダリセル状態管理部と、
前記セカンダリセル状態管理部により管理されているセカンダリセルの状態が非アクティブ状態であり、基地局により管理されている当該セカンダリセルの状態がアクティブ状態であるという状態の不一致を検出する状態不一致検出部と、
前記状態不一致検出部により当該セカンダリセルの状態の不一致が検出された場合、当該セカンダリセルの状態が非アクティブ状態であるという通知を前記基地局に送信する送信部と、
を有する移動局。
【０１３０】
（１１）キャリアアグリゲーションを利用して通信する移動局における制御方法であって、
セカンダリセルの状態がアクティブ状態であるか非アクティブ状態であるかをセカンダリセル状態管理部において管理するステップと、
前記セカンダリセル状態管理部により管理されているセカンダリセルの状態が非アクティブ状態であり、基地局により管理されている当該セカンダリセルの状態がアクティブ状態であるという状態の不一致を検出するステップと、
当該セカンダリセルの状態の不一致が検出された場合、当該セカンダリセルの状態が非アクティブ状態であるという通知を前記基地局に送信するステップと、
を有する制御方法。
【０１３１】
（１２）キャリアアグリゲーションを利用して通信する基地局であって、
セカンダリセルの状態がアクティブ状態であるか非アクティブ状態であるかを管理するセカンダリセル状態管理部と、
セカンダリセルの状態が非アクティブ状態であるという通知を移動局から受信する受信部と、
を有し、
前記セカンダリセル状態管理部は、アクティブ状態のセカンダリセルについて、前記受信部により当該セカンダリセルの状態が非アクティブ状態であるという通知を受信した場合、前記移動局の当該セカンダリセルをアクティブ状態に遷移させる基地局。
【０１３２】
（１３）前記セカンダリセル状態管理部は、前記移動局の当該セカンダリセルを非アクティブ状態に遷移させるタイマを再起動する、（１２）に記載の基地局。
【０１３３】
（１４）キャリアアグリゲーションを利用して通信する基地局における制御方法であって、
セカンダリセルの状態がアクティブ状態であるか非アクティブ状態であるかをセカンダリセル状態管理部において管理するステップと、
セカンダリセルの状態が非アクティブ状態であるという通知を移動局から受信するステップと、
前記セカンダリセル状態管理部においてアクティブ状態のセカンダリセルについて、当該セカンダリセルの状態が非アクティブ状態であるという通知を受信した場合、前記移動局の当該セカンダリセルをアクティブ状態に遷移させるステップと、
を有する制御方法。
【０１３４】
（１５）キャリアアグリゲーションを利用して通信する移動局であって、
基地局からセカンダリセルを非アクティブ状態に遷移させる指示を基地局から受信する受信部と、
前記受信部により受信した指示が物理上りリンク制御チャネルをサポートするセカンダリセルについての指示である場合、前記受信部により受信した指示を破棄する遷移指示制御部と、
を有する移動局。
【０１３５】
（１６）前記受信制御部により指示が破棄された場合、当該指示が破棄されたという通知を前記基地局に送信する送信部を更に有する、（１５）に記載の移動局。
【０１３６】
（１７）前記遷移指示制御部は、物理上りリンク制御チャネルをサポートするセカンダリセルに、当該セカンダリセルを非アクティブ状態に遷移させるタイマが設定されている場合、当該タイマが満了しても当該セカンダリセルをアクティブ状態に保持する、（１５）又は（１６）に記載の移動局。
【０１３７】
（１８）キャリアアグリゲーションを利用して通信する移動局における制御方法であって、
基地局からセカンダリセルを非アクティブ状態に遷移させる指示を基地局から受信するステップと、
受信した指示が物理上りリンク制御チャネルをサポートするセカンダリセルについての指示である場合、前記受信部により受信した指示を破棄するステップと、
を有する制御方法。
【符号の説明】
【０１３８】
１００  移動局
１１０  下りリンク（ＤＬ）信号受信部
１２０  上りリンク（ＵＬ）信号送信部
１３０  セカンダリセル（Ｓｃｅｌｌ）状態管理部１３０
１４０  上りリンク（ＵＬ）リソース管理部
１５０  送信制御部
２００  基地局
２１０  上りリンク（ＵＬ）信号受信部
２２０  下りリンク（ＤＬ）信号送信部
２３０  セカンダリセル（Ｓｃｅｌｌ）状態管理部
２４０  上りリンク（ＵＬ）リソース管理部
２５０  制御情報処理部
３００  移動局
３１０  下りリンク（ＤＬ）信号受信部
３２０  上りリンク（ＵＬ）信号送信部
３３０  セカンダリセル（Ｓｃｅｌｌ）状態管理部
３４０  セカンダリセル（Ｓｃｅｌｌ）状態不一致検出部
３５０  セカンダリセル（Ｓｃｅｌｌ）状態通知部
４００  基地局
４１０  上りリンク（ＵＬ）信号受信部
４２０  下りリンク（ＤＬ）信号送信部
４３０  セカンダリセル（Ｓｃｅｌｌ）状態管理部
５００  移動局
５１０  下りリンク（ＤＬ）信号受信部
５２０  上りリンク（ＵＬ）信号送信部
５３０  セカンダリセル（Ｓｃｅｌｌ）状態管理部
５４０  遷移指示制御部
【図１】
2014110451.tif 000003
【図２】
2014110451.tif 000004
【図３】
2014110451.tif 000005
【図４】
2014110451.tif 000006
【図５】
2014110451.tif 000007
【図６】
2014110451.tif 000008
【図７】
2014110451.tif 000009
【図８】
2014110451.tif 000010
【図９】
2014110451.tif 000011
【図１０】
2014110451.tif 000012
【図１１】
2014110451.tif 000013
【図１２】
2014110451.tif 000014
【図１３】
2014110451.tif 000015
【図１４】
2014110451.tif 000016
【図１５】
2014110451.tif 000017